(57)【要約】  【課題】携帯端末を電子キーとして使用するための設定を容易に行えるようにする。  【解決手段】発行管理装置は、電子キーシステムにおいて操作対象の操作に使用される固有情報を発行するための認証情報を、前記固有情報を記憶する記憶部を有する携帯端末から受け付ける受付部と、前記認証情報を第１の認証装置に送信し、第１の認証結果を前記第１の認証装置から受信する第１の認証処理部と、前記第１の認証結果が成功である場合に、前記固有情報を前記携帯端末に対して発行する発行部とを有する。【選択図】図１
2016204912.tif 000002
【特許請求の範囲】
【請求項１】
電子キーシステムにおいて操作対象の操作に使用される固有情報を発行するための認証情報を、前記固有情報を記憶する記憶部を有する携帯端末から受け付ける受付部と、
前記認証情報を第１の認証装置に送信し、第１の認証結果を前記第１の認証装置から受信する第１の認証処理部と、
前記第１の認証結果が成功である場合に、前記固有情報を前記携帯端末に対して発行する発行部と
を有する発行管理装置。
【請求項２】
請求項１に記載の発行管理装置であって、
前記受付部は、前記携帯端末の端末情報を前記携帯端末から受け付け、
前記端末情報を第２の認証装置に送信し、第２の認証結果を前記第２の認証装置から受信する第２の認証処理部を有し、
前記発行部は、前記第１の認証結果が成功であり且つ前記第２の認証結果が成功である場合に、前記固有情報を前記携帯端末に対して発行する
発行管理装置。
【請求項３】
請求項１に記載の発行管理装置であって、
前記第１の認証装置は、複数存在し、
認証情報の種別ごとに、前記認証情報を認証する前記第１の認証装置の宛先を対応付けた宛先情報を記憶する記憶部を有し、
前記第１の認証処理部は、前記宛先情報に基づいて、前記受信した認証情報の種別に対応する前記第１の認証装置に対して前記認証情報を送信する
発行管理装置。
【請求項４】
請求項２に記載の発行管理装置であって、
前記第２の認証装置は、複数存在し、
端末情報の種別ごとに、前記端末情報を認証する前記第２の認証装置の宛先を対応付けた宛先情報を記憶する記憶部を有し、
前記第２の認証処理部は、前記宛先情報に基づいて、前記受信した端末情報の種別に対応する前記第２の認証装置に対して前記端末情報を送信する
発行管理装置。
【請求項５】
請求項１に記載の発行管理装置であって、
前記携帯端末のユーザーのユーザー情報を記憶する記憶部を有し、
前記第１の認証処理部は、前記認証情報とともに前記ユーザー情報を前記第１の認証装置に送信する
発行管理装置。
【請求項６】
請求項２に記載の発行管理装置であって、
前記携帯端末のユーザーのユーザー情報を記憶する記憶部を有し、
前記第２の認証処理部は、前記端末情報とともに前記ユーザー情報を前記第２の認証装置に送信する
発行管理装置。
【請求項７】
請求項１に記載の発行管理装置であって、
前記第１の認証処理部は、前記第１の認証結果として前記固有情報を前記第１の認証装置から受信し、
前記発行部は、受信された前記固有情報を前記携帯端末に対して発行する
発行管理装置。
【請求項８】
電子キーシステムにおいて操作対象の操作に使用される固有情報を発行するための認証情報を、前記固有情報を記憶する記憶部を有する携帯端末から受け付ける手順と、
前記認証情報を第１の認証装置に送信し、第１の認証結果を前記第１の認証装置から受信する手順と、
前記第１の認証結果が成功である場合に、前記固有情報を前記携帯端末に対して発行する手順と
を発行管理装置に実行させるプログラム。
【請求項９】
携帯端末と発行管理装置を備える発行管理システムであって、
前記携帯端末は、
電子キーシステムにおいて操作対象の操作に使用される固有情報を発行するための認証情報を取得する認証情報取得部と、
前記認証情報を、前記発行管理装置に送信する申込部と、
前記発行管理装置から発行された前記固有情報を取得する固有情報取得部と、を有し、
前記発行管理装置は、
前記認証情報を前記携帯端末から受け付ける受付部と、
前記認証情報を第１の認証装置に送信し、第１の認証結果を前記第１の認証装置から受信する第１の認証処理部と、
前記第１の認証結果が成功である場合に、前記固有情報を前記携帯端末に対して発行する発行部と、を有する
発行管理システム。
【請求項１０】
携帯端末と発行管理装置を備える発行管理システムにおける発行管理方法であって、
前記携帯端末が、電子キーシステムにおいて操作対象の操作に使用される固有情報を発行するための認証情報を取得する工程と、
前記携帯端末が、前記認証情報を前記発行管理装置に送信する工程と、
前記発行管理装置が、前記認証情報を前記携帯端末から受け付ける工程と、
前記発行管理装置が、前記認証情報を第１の認証装置に送信し、第１の認証結果を前記第１の認証装置から受信する工程と、
前記発行管理装置が、前記第１の認証結果が成功である場合に、前記固有情報を前記携帯端末に対して発行する工程と、
前記携帯端末が、前記発行管理装置から発行された前記固有情報を取得する工程と
を含む発行管理方法。
【請求項１１】
電子キーシステムにおいて操作対象の操作に使用される固有情報を発行するための認証情報を取得する認証情報取得部と、
前記認証情報を、前記固有情報を発行する発行管理装置に送信する申込部と、
前記発行管理装置から発行された前記固有情報を取得する固有情報取得部と
を有する携帯端末。
【請求項１２】
電子キーシステムにおいて操作対象の操作に使用される固有情報を発行するための認証情報を取得する手順と、
前記認証情報を、前記固有情報を発行する発行管理装置に送信する手順と、
前記発行管理装置から発行された前記固有情報を取得する手順と
を携帯端末に実行させるプログラム。
【発明の詳細な説明】
【技術分野】
【０００１】
本発明は、発行管理装置、携帯端末、発行管理システム、発行管理方法、及びプログラムに関する。
【背景技術】
【０００２】
車両、建物のドア等の操作対象に搭載された制御装置と、ユーザーが所持する電子キーとの間で、無線通信による照合が成立した場合に、当該制御装置が、エンジンの始動、ドアの解錠等の操作対象の操作を実行する電子キーシステムが知られている。
【０００３】
特許文献１には、移動電話機に認証コードをロードし、移動電話機が認証コードを使用して、自動車の施錠、解錠、エンジンの始動等を行うことが記載されている。
【先行技術文献】
【特許文献】
【０００４】
【特許文献１】特表２０１３−５４５９０７号公報
【発明の概要】
【発明が解決しようとする課題】
【０００５】
ところで、特許文献１のように携帯端末を電子キーとして使う電子キーシステムにおいては、携帯端末の買い替えがあった場合等、新規の携帯端末を電子キーとして使用できるように設定を行う際に問題が生じる。例えば、操作対象が自動車である場合を考える。この場合、照合に用いる認証コード等の固有情報を新規の携帯端末に記憶させるために、例えば、自動車ディーラーに携帯端末を持ち込んで、携帯端末の設定作業を依頼する必要がある。そのため、ユーザーは、新規の携帯端末を電子キーとして早く且つ簡単に使い始めることができない。
【０００６】
そこで、本発明は、携帯端末を電子キーとして使用するための設定を容易に行えるようにすることを目的とする。
【課題を解決するための手段】
【０００７】
本願は、上記課題を解決する手段を複数含んでいるが、その例を挙げるならば、以下のとおりである。
【０００８】
上記の課題を解決する本発明の一態様は、発行管理装置であって、電子キーシステムにおいて操作対象の操作に使用される固有情報を発行するための認証情報を、前記固有情報を記憶する記憶部を有する携帯端末から受け付ける受付部と、前記認証情報を第１の認証装置に送信し、第１の認証結果を前記第１の認証装置から受信する第１の認証処理部と、前記第１の認証結果が成功である場合に、前記固有情報を前記携帯端末に対して発行する発行部とを有する。
【０００９】
上記の発行管理装置において、前記受付部は、前記携帯端末の端末情報を前記携帯端末から受け付け、前記端末情報を第２の認証装置に送信し、第２の認証結果を前記第２の認証装置から受信する第２の認証処理部を有し、前記発行部は、前記第１の認証結果が成功であり且つ前記第２の認証結果が成功である場合に、前記固有情報を前記携帯端末に対して発行してもよい。
【００１０】
上記の発行管理装置において、前記第１の認証装置は、複数存在し、認証情報の種別ごとに、前記認証情報を認証する前記第１の認証装置の宛先を対応付けた宛先情報を記憶する記憶部を有し、前記第１の認証処理部は、前記宛先情報に基づいて、前記受信した認証情報の種別に対応する前記第１の認証装置に対して前記認証情報を送信してもよい。
【００１１】
上記の発行管理装置において、前記第２の認証装置は、複数存在し、端末情報の種別ごとに、前記端末情報を認証する前記第２の認証装置の宛先を対応付けた宛先情報を記憶する記憶部を有し、前記第２の認証処理部は、前記宛先情報に基づいて、前記受信した端末情報の種別に対応する前記第２の認証装置に対して前記端末情報を送信してもよい。
【００１２】
上記の発行管理装置において、前記携帯端末のユーザーのユーザー情報を記憶する記憶部を有し、前記第１の認証処理部は、前記認証情報とともに前記ユーザー情報を前記第１の認証装置に送信してもよい。
【００１３】
上記の発行管理装置において、前記携帯端末のユーザーのユーザー情報を記憶する記憶部を有し、前記第２の認証処理部は、前記端末情報とともに前記ユーザー情報を前記第２の認証装置に送信してもよい。
【００１４】
上記の発行管理装置において、前記第１の認証処理部は、前記第１の認証結果として前記固有情報を前記第１の認証装置から受信し、前記発行部は、受信された前記固有情報を前記携帯端末に対して発行してもよい。
【００１５】
上記の課題を解決する本発明の他の態様は、プログラムであって、電子キーシステムにおいて操作対象の操作に使用される固有情報を発行するための認証情報を、前記固有情報を記憶する記憶部を有する携帯端末から受け付ける手順と、前記認証情報を第１の認証装置に送信し、第１の認証結果を前記第１の認証装置から受信する手順と、前記第１の認証結果が成功である場合に、前記固有情報を前記携帯端末に対して発行する手順とを発行管理装置に実行させる。
【００１６】
上記の課題を解決する本発明のさらに他の態様は、携帯端末と発行管理装置を備える発行管理システムであって、前記携帯端末は、電子キーシステムにおいて操作対象の操作に使用される固有情報を発行するための認証情報を取得する認証情報取得部と、前記認証情報を、前記発行管理装置に送信する申込部と、前記発行管理装置から発行された前記固有情報を取得する固有情報取得部と、を有し、前記発行管理装置は、前記認証情報を前記携帯端末から受け付ける受付部と、前記認証情報を第１の認証装置に送信し、第１の認証結果を前記第１の認証装置から受信する第１の認証処理部と、前記第１の認証結果が成功である場合に、前記固有情報を前記携帯端末に対して発行する発行部と、を有する。
【００１７】
上記の課題を解決する本発明のさらに他の態様は、携帯端末と発行管理装置を備える発行管理システムにおける発行管理方法であって、前記携帯端末が、電子キーシステムにおいて操作対象の操作に使用される固有情報を発行するための認証情報を取得する工程と、前記携帯端末が、前記認証情報を前記発行管理装置に送信する工程と、前記発行管理装置が、前記認証情報を前記携帯端末から受け付ける工程と、前記発行管理装置が、前記認証情報を第１の認証装置に送信し、第１の認証結果を前記第１の認証装置から受信する工程と、前記発行管理装置が、前記第１の認証結果が成功である場合に、前記固有情報を前記携帯端末に対して発行する工程と、前記携帯端末が、前記発行管理装置から発行された前記固有情報を取得する工程とを含む。
【００１８】
上記の課題を解決する本発明のさらに他の態様は、携帯端末であって、電子キーシステムにおいて操作対象の操作に使用される固有情報を発行するための認証情報を取得する認証情報取得部と、前記認証情報を、前記固有情報を発行する発行管理装置に送信する申込部と、前記発行管理装置から発行された前記固有情報を取得する固有情報取得部とを有する。
【００１９】
上記の課題を解決する本発明のさらに他の態様は、プログラムであって、電子キーシステムにおいて操作対象の操作に使用される固有情報を発行するための認証情報を取得する手順と、前記認証情報を、前記固有情報を発行する発行管理装置に送信する手順と、前記発行管理装置から発行された前記固有情報を取得する手順とを携帯端末に実行させる。
【発明の効果】
【００２０】
本発明によれば、携帯端末を電子キーとして使用するための設定を容易に行うことができる。
【００２１】
上記以外の課題、構成及び効果は、以下の実施形態の説明により明らかにされる。
【図面の簡単な説明】
【００２２】
【図１】本発明の一実施形態に係る発行管理システムの一例を示すシステム構成図である。
【図２】発行管理システムの機能構成の一例を示すブロック図である。
【図３】会員情報のデータ構造の一例を示す図である。
【図４】宛先情報のデータ構造の一例を示す図である。
【図５】所有者情報のデータ構造の一例を示す図である。
【図６】契約者情報のデータ構造の一例を示す図である。
【図７】コンピューターのハードウェア構成の一例を示すブロック図である。
【図８】コンピューターのハードウェア構成の一例を示すブロック図である。
【図９】固有情報発行処理の一例を示すフローチャート（その１）である。
【図１０】固有情報発行処理の一例を示すフローチャート（その２）である。
【発明を実施するための形態】
【００２３】
以下、本発明の一実施形態について図面を参照して、説明する。
【００２４】
図１は、本発明の一実施形態に係る発行管理システムの一例を示すシステム構成図である。
【００２５】
本実施形態では、ユーザーが新規の携帯端末を電子キーとして使用して自動車等の操作対象に対する施錠、解錠等の操作を行うことができるように、当該新規の携帯端末を電子キーとして設定する場合を説明する。
【００２６】
発行管理システムは、記憶媒体１と、携帯端末２と、発行管理装置３と、登録管理装置（本発明の「第１の認証装置」に相当する）４と、登録管理装置（本発明の「第２の認証装置」に相当する）５と、を備える。
【００２７】
記憶媒体１は、例えば自動車のドア等、操作対象の所定位置に設けられる。操作対象は、例えばユーザーの自動車や自宅のドア等であり、操作対象及び記憶媒体１は、１台の携帯端末２に対して、１つ又は複数である。記憶媒体１は、例えば、記憶部と通信部を備えるＩＣチップであり、ＮＦＣ（Near Field Communication）等の近距離無線通信により、携帯端末２から情報の読み書き（送信及び受信）が可能である。
【００２８】
なお、操作対象は、例えば、電子キーとして設定された携帯端末２から送信される固有情報の照合、照合に成功した場合に操作対象の操作等を行う制御装置を備える。当該制御装置は、携帯端末２とともに電子キーシステムを構築する。電子キーシステムは、本実施形態の主要な点ではないため、説明を省略する。
【００２９】
携帯端末２は、例えばスマートフォン、ウェアラブル機器等の通信端末であり、ユーザーにより使用される。携帯端末２は、例えばインターネット等の通信ネットワークＮを介して、発行管理装置３等と通信することができる。
【００３０】
発行管理装置３は、例えばサーバーコンピューター等であり、例えば情報サービス業者により運用される。発行管理装置３は、通信ネットワークＮを介して、携帯端末２、登録管理装置４、登録管理装置５等と通信することができる。
【００３１】
登録管理装置４は、例えばサーバーコンピューター等であり、例えば操作対象の製造業者により運用される。登録管理装置４は、例えば操作対象を製造する製造業者の数に応じて、１つ又は複数である。具体的には、製造業者は、例えば１以上の自動車メーカー、１以上の建材メーカー等である。
【００３２】
登録管理装置５は、例えばサーバーコンピューター等であり、例えば携帯端末の通信事業者により運用される。登録管理装置５は、例えば携帯端末の通信事業者の数に応じて、１つ又は複数である。
【００３３】
図２は、発行管理システムの機能構成の一例を示すブロック図である。
【００３４】
記憶媒体１は、認証情報１０を携帯端末２から読取可能に記憶している。認証情報１０は、例えば操作対象の製造時に、記憶媒体１に記録される。認証情報１０は、電子キーとしての携帯端末２が使用する固有情報を発行するために使用される情報である。
【００３５】
携帯端末２は、制御部２０と、記憶部２４と、通信部２５と、読取部２６と、表示部２７と、操作部２８とを備える。
【００３６】
制御部２０は、携帯端末２を統合的に制御する。また、制御部２０は、認証情報取得部２１と、申込部２２と、固有情報取得部２３とを備える。
【００３７】
認証情報取得部２１は、例えば、操作部２８を介してユーザーから所定操作（読み取りを行う操作）を受け付けた場合に、読取部２６を制御して記憶媒体１から認証情報１０を読み取る。
【００３８】
申込部２２は、例えば、操作部２８を介してユーザーから所定操作（固有情報の発行を申し込む操作）を受け付けた場合に、入力されたユーザーの会員識別子及びパスワードを、通信部２５を介して発行管理装置３に送信する。また、申込部２２は、読み取られた認証情報１０と携帯端末２の端末情報を、通信部２５を介して発行管理装置３に送信する。端末情報は、例えば端末識別子等である。
【００３９】
固有情報取得部２３は、申込部２２による申込に基づいて発行された固有情報を、通信部２５を介して発行管理装置３から受信し、例えば携帯端末２が備える操作対象の制御装置が読み取り可能な記憶装置（図示せず）に記憶する。当該記憶装置は、例えば、記憶部及び通信部を備えるＩＣチップ（図８参照）であり、ＮＦＣ等の近距離無線通信により、制御装置から情報の読み書き（送信及び受信）が可能である。なお、当該記憶装置に記憶された固有情報は、操作対象の制御装置による照合に使用される。
【００４０】
記憶部２４は、制御部２０が処理に使用するデータ等を記憶する。
【００４１】
通信部２５は、通信ネットワークＮに接続し、情報の送受信を行う。
【００４２】
読取部２６は、記憶媒体１から認証情報１０等を読み取る。
【００４３】
表示部２７は、操作画面等を表示する。
【００４４】
操作部２８は、ユーザーの操作入力を受け付け、操作に応じた操作信号を制御部２０等に出力する。
【００４５】
発行管理装置３は、制御部３０と、記憶部３６と、通信部３９とを備える。
【００４６】
記憶部３６は、制御部３０が処理に使用するデータ等を記憶する。記憶部３６は、会員情報ＤＢ３７と、宛先情報ＤＢ３８とを記憶する。
【００４７】
会員情報ＤＢ３７は、会員それぞれの会員情報（本発明のユーザー情報に相当する）を記憶する。本実施形態では、会員は、携帯端末２のユーザーであり、会員情報は、固有情報の発行サービスを利用するために事前に登録される。会員情報は、例えば図３（会員情報のデータ構造の一例を示す図）に示すように、会員識別子３７１、当該会員の認証に用いるパスワード３７２、当該会員の個人情報３７３等を含む。個人情報３７３は、例えば会員の氏名、生年月日、住所、電話番号、Ｅメールアドレス等である。
【００４８】
宛先情報ＤＢ３８は、１台以上の登録管理装置４と１台以上の登録管理装置５のそれぞれの宛先情報を記憶する。本実施形態では、宛先情報は、事前に登録される。宛先情報は、例えば図４（宛先情報のデータ構造の一例を示す図）に示すように、登録管理装置を運用する業者等を識別する宛先識別子３８１、当該業者等の名称である宛先名称３８２、当該業者の運用する発行管理装置のアドレス情報等を示す宛先３８３等を含む。
【００４９】
宛先識別子３８１は、例えば製造業者、通信事業者等を識別するコードである。本実施形態では、製造業者等の宛先識別子は、認証情報１０に含まれているものとする。また、通信事業者等の宛先識別子は、端末情報に含まれているものとする。つまり、製造業者等の宛先識別子は、認証情報１０から取得可能であり、通信事業者等の宛先識別子は、端末情報から取得可能である。宛先名称３８２は、例えば製造業者の名称、通信事業者の名称等である。宛先３８３は、例えば登録管理装置４又は登録管理装置５上のアクセス先を示すＩＰ（Internet Protocol）アドレス、ポート番号、ＵＲＬ（Uniform Resource Locator）等である。
【００５０】
制御部３０は、発行管理装置３を統合的に制御する。また、制御部３０は、受付部３１と、第１の認証処理部３２と、第２の認証処理部３３と、通知部３４と、発行部３５とを備える。
【００５１】
受付部３１は、携帯端末２から送信された会員識別子及びパスワードを、通信部３９を介して受信し、会員情報ＤＢ３７を参照して、受信した会員識別子及びパスワードの照合（ユーザー認証）を行う。また、受付部３１は、携帯端末２から送信された認証情報１０と端末情報を、通信部３９を介して受信する。すなわち、受付部３１は、携帯端末２から固有情報の発行の申込みを受け付ける。
【００５２】
第１の認証処理部３２は、ユーザーの認証が成功した場合に、会員情報ＤＢ３７を参照して、当該ユーザーの個人情報３７３を取得する。また、第１の認証処理部３２は、受信された認証情報１０と宛先情報ＤＢ３８とに基づいて、宛先（１台以上の登録管理装置４のうちいずれかの装置）を特定する。また、第１の認証処理部３２は、受信された認証情報１０と取得した個人情報とを、特定した宛先に対して通信部３９を介して送信する。このようにして、第１の認証処理部３２は、認証情報１０及び個人情報に対する認証の要求を行う。
【００５３】
また、第１の認証処理部３２は、認証情報１０及び個人情報に対する認証結果を、宛先の登録管理装置４から通信部３９を介して受信する。本実施形態では、登録管理装置４からの認証結果は、認証の成功又は失敗を示す情報を含み、成功の場合には固有情報を含む。
【００５４】
第２の認証処理部３３は、ユーザーの認証が成功した場合に、会員情報ＤＢ３７を参照して、当該ユーザーの個人情報３７３を取得する。また、第２の認証処理部３３は、受信された端末情報と宛先情報ＤＢ３８とに基づいて、宛先（１台以上の登録管理装置５のうちいずれかの装置）を特定する。また、第２の認証処理部３３は、受信された端末情報と取得した個人情報とを、特定した宛先に対して通信部３９を介して送信する。このようにして、第２の認証処理部３３は、端末情報及び個人情報に対する認証の要求を行う。
【００５５】
また、第２の認証処理部３３は、端末情報及び個人情報に対する認証結果を、宛先の登録管理装置５から通信部３９を介して受信する。本実施形態では、登録管理装置５からの認証結果は、認証の成功又は失敗を示す情報を含む。
【００５６】
通知部３４は、ユーザー認証の結果を、申込みを行った携帯端末２に対して通信部３９を介して送信する。また、通知部３４は、認証情報及び端末情報の認証結果を、すなわち、固有情報の発行を許可するか否かを示す情報を、申込みを行った携帯端末２に対して通信部３９を介して送信する。
【００５７】
発行部３５は、第１の認証処理部３２による認証結果が成功である場合、受信された固有情報を記憶部３６に一時的に保存する。また、発行部３５は、第２の認証処理部３３による認証結果が成功である場合、記憶部３６に保存されている固有情報を、携帯端末２からダウンロード可能に、例えば、発行を要求した携帯端末２からの会員識別子及び端末識別子と関連付けて、記憶部３６に保存する。
【００５８】
また、発行部３５は、携帯端末２から固有情報のダウンロード要求を受け付けると、当該固有情報を記憶部３６の保存場所から読み出し、通信部３９を介して携帯端末２に送信する。
【００５９】
通信部３９は、通信ネットワークＮに接続し、情報の送受信を行う。
【００６０】
登録管理装置４は、制御部４０と、記憶部４３と、通信部４５とを備える。
【００６１】
記憶部４３は、制御部４０が処理に使用するデータ等を記憶する。記憶部４３は、所有者情報ＤＢ４４を記憶する。
【００６２】
所有者情報ＤＢ４４は、所有者それぞれの所有者情報を記憶する。本実施形態では、所有者は、例えば自動車等の操作対象の所有者であり、所有者情報は、事前に（例えば自動車の購入時に）登録される。所有者情報は、例えば図５（所有者情報のデータ構造の一例を示す図）に示すように、操作対象を一意に識別する操作対象識別子４４１、当該操作対象を電子キーで操作する際に用いる固有情報４４２、当該固有情報を発行するために使用される認証情報４４３、当該操作対象の所有者を識別する所有者識別子４４４、当該所有者の個人情報４４５等を含む。認証情報４４３は、記憶媒体１に記録される認証情報１０と対応する。個人情報４４５は、例えば所有者の氏名、生年月日、住所、電話番号、Ｅメールアドレス等である。
【００６３】
制御部４０は、登録管理装置４を統合的に制御する。また、制御部４０は、認証部４１と、固有情報送信部４２とを備える。
【００６４】
認証部４１は、発行管理装置３から送信された認証情報１０及び個人情報を、通信部４５を介して受信する。すなわち、認証部４１は、発行管理装置３から認証情報１０及び個人情報に対する認証の要求を受け付ける。また、認証部４１は、受信した認証情報１０及び個人情報と所有者情報ＤＢ４４とに基づいて、認証情報１０及び個人情報を認証する。また、認証部４１は、認証情報１０及び個人情報に対する認証に失敗した場合、認証結果（失敗）を、認証の要求を行った発行管理装置３に対して通信部４５を介して送信する。
【００６５】
固有情報送信部４２は、認証部４１により認証情報１０及び個人情報に対する認証に成功した場合、認証した認証情報１０（認証情報４４３）に関連付けられた固有情報４４２を所有者情報ＤＢ４４から取得し、認証結果（成功）とともに、認証の要求を行った発行管理装置３に対して通信部４５を介して送信する。
【００６６】
通信部４５は、通信ネットワークＮに接続し、情報の送受信を行う。
【００６７】
登録管理装置５は、制御部５０と、記憶部５２と、通信部５４とを備える。
【００６８】
記憶部５２は、制御部５０が処理に使用するデータ等を記憶する。記憶部５２は、契約者情報ＤＢ５３を記憶する。
【００６９】
契約者情報ＤＢ５３は、契約者それぞれの契約者情報を記憶する。本実施形態では、契約者は、例えば携帯端末の契約者であり、契約者情報は、事前に（例えば携帯端末の購入時に）登録される。契約者情報は、例えば図６（契約者情報のデータ構造の一例を示す図）に示すように、携帯端末を一意に識別する端末識別子５３１、当該端末の電話番号５３２、当該端末の契約者を一意に識別する契約者識別子５３３、当該契約者の個人情報５３４等を含む。個人情報５３４は、例えば契約者の氏名、生年月日、住所、電話番号、Ｅメールアドレス等である。
【００７０】
制御部５０は、登録管理装置５を統合的に制御する。また、制御部５０は、認証部５１を備える。
【００７１】
認証部５１は、発行管理装置３から送信された端末情報及び個人情報を、通信部５４を介して受信する。すなわち、認証部５１は、発行管理装置３から端末情報及び個人情報に対する認証の要求を受け付ける。また、認証部５１は、受信した端末情報及び個人情報と契約者情報ＤＢ５３とに基づいて、端末情報及び個人情報を認証する。また、認証部５１は、認証結果（成功又は失敗）を、認証の要求を行った発行管理装置３に対して通信部５４を介して送信する。
【００７２】
通信部５４は、通信ネットワークＮに接続し、情報の送受信を行う。
【００７３】
上述の発行管理装置３は、例えば図７（コンピューターのハードウェア構成の一例を示すブロック図）に示すようなコンピューター８０により実現することができる。
【００７４】
コンピューター８０は、例えば、ＣＰＵ（Central Processing Unit）等の演算装置８１と、ＲＡＭ（Random Access Memory）等の主記憶装置８２と、フラッシュＲＯＭ（Read Only Memory）やＨＤＤ（Hard Disk Drive）等の補助記憶装置８３と、通信回線と接続する通信Ｉ／Ｆ（Ｉ／Ｆ：インターフェイス）８４と、キーボードやマウス等の入力装置８５と、液晶ディスプレイ等の表示装置８６と、ＤＶＤ（Digital Versatile Disk）等の持ち運び可能な記憶媒体に対する情報の読み書きを行うリーダ／ライタ８７と、ＵＳＢ（Universal Serial Bus）等により外部機器と接続する外部Ｉ／Ｆ８８とを備える。
【００７５】
コンピューター８０が発行管理装置３として機能する場合、制御部３０は、例えば、演算装置８１と、主記憶装置８２及び補助記憶装置８３の少なくとも一方とにより実現される。すなわち、制御部３０の処理や機能は、例えば、演算装置８１が、補助記憶装置８３に記憶されている所定のアプリケーションプログラムを主記憶装置８２にロードして実行することで実現できる。記憶部３６は、例えば、主記憶装置８２又は補助記憶装置８３により実現できる。記憶部３６の一部又は全部は、例えば、通信Ｉ／Ｆ８４を介して接続される通信ネットワーク上のストレージ等により実現してもよい。通信部３９は、例えば通信Ｉ／Ｆ８４により実現される。上記の所定のアプリケーションプログラムは、例えば、通信ネットワーク上のコンピューターにダウンロード可能な状態で格納したり、ＤＶＤ等の持ち運び可能な記憶媒体に格納したりすることで流通させ、発行管理装置３にインストールすることができる。
【００７６】
上述の登録管理装置４及び登録管理装置５も、発行管理装置３と同様に、例えばコンピューター８０により実現することができる。
【００７７】
上述の携帯端末２は、例えば図８（コンピューターのハードウェア構成の一例を示すブロック図）に示すようなコンピューター９０により実現することができる。
【００７８】
コンピューター９０は、例えば、ＣＰＵ等の演算装置９１と、ＲＡＭ等の主記憶装置９２と、フラッシュＲＯＭやＨＤＤ等の補助記憶装置９３と、携帯電話網等の通信回線と接続する第１通信Ｉ／Ｆ９４１と、無線ＬＡＮ（Local Area Network）等の通信回線と接続する第２通信Ｉ／Ｆ９４２と、キーやタッチパネルやタッチセンサー等の入力装置９５と、液晶ディスプレイや有機ＥＬディスプレイ（Organic Electroluminescence Display）等の表示装置９６と、無線通信可能なＩＣタグ等の記憶媒体に対する情報の読み書きを行うリーダ／ライタ９７と、ＮＦＣ等の近距離無線通信により情報を読み書き可能に記録するＩＣチップ９８とを備える。
【００７９】
コンピューター９０が携帯端末２として機能する場合、制御部２０は、例えば、演算装置９１と、主記憶装置９２及び補助記憶装置９３の少なくとも一方とにより実現される。すなわち、制御部２０の処理や機能は、例えば、演算装置９１が、補助記憶装置９３に記憶されている所定のアプリケーションプログラムを主記憶装置９２にロードして実行することで実現できる。記憶部２４は、例えば、主記憶装置９２又は補助記憶装置９３により実現できる。記憶部２４の一部又は全部は、例えば、第１通信Ｉ／Ｆ９４１又は第２通信Ｉ／Ｆ９４２を介して接続されるネットワーク上のストレージ等により実現してもよい。通信部２５は、例えば第１通信Ｉ／Ｆ９４１又は第２通信Ｉ／Ｆ９４２により実現される。読取部２６は、例えばリーダ／ライタ９７により実現される。表示部２７は、例えば表示装置９６により実現される。操作部２８は、例えば入力装置９５により実現される。上記の所定のアプリケーションプログラムは、例えば、通信ネットワーク上のコンピューターにダウンロード可能な状態で格納することで流通させ、携帯端末２にインストールすることができる。
【００８０】
図９は、固有情報発行処理の一例を示すフローチャート（その１）である。図１０は、固有情報発行処理の一例を示すフローチャート（その２）である。
【００８１】
まず、携帯端末２は、認証情報の読み取りを行う（ステップＳ１）。具体的には、ユーザーは、操作対象に設けられた記憶媒体１に携帯端末２の読取部２６を近付ける。認証情報取得部２１は、読取部２６を制御して記憶媒体１から認証情報１０を読み取る。
【００８２】
それから、携帯端末２は、固有情報の発行申込みを行う（ステップＳ２）。具体的には、申込部２２は、例えば、操作部２８を介してユーザーの会員識別子及びパスワードを受け付けて、発行管理装置３に送信する。また、申込部２２は、ステップＳ１で読み取られた認証情報１０と携帯端末２の端末情報を、発行管理装置３に送信する。端末情報は、例えば携帯端末２のＯＳ（Operating System）等から取得すればよい。
【００８３】
なお、発行管理装置３の受付部３１は、ステップＳ２で携帯端末２から送信された会員識別子及びパスワードを受信すると、会員情報ＤＢ３７（会員識別子３７１及びパスワード３７２）を参照して、受信した会員識別子及びパスワードの照合（ユーザー認証）を行う。ユーザー認証に失敗した場合、通知部３４は、例えば、会員識別子及びパスワードの再入力を求めるメッセージを携帯端末２に送信すればよい。ユーザー認証に成功した場合、処理はステップＳ３に進む。
【００８４】
それから、発行管理装置３は、認証情報の宛先を判定する（ステップＳ３）。具体的には、第１の認証処理部３２は、ステップＳ２で受信された認証情報１０から宛先識別子を取得する。また、第１の認証処理部３２は、宛先情報ＤＢ３８（宛先識別子３８１）を参照して、取得した宛先識別子の照合を行う。これにより、宛先識別子が宛先情報ＤＢ３８に登録されているか否か、及び、宛先の判定を行う。
【００８５】
認証情報の宛先が宛先情報ＤＢ３８に登録されていないと判定された場合（ステップＳ３でＮ）、通知部３４は、例えば、製造業者等の識別子又は名称の入力を求めるメッセージを携帯端末２に送信すればよい。この場合、受付部３１は、製造業者等の識別子又は名称を携帯端末２から受信し、第１の認証処理部３２は、宛先情報ＤＢ３８（宛先識別子３８１又は宛先名称３８２）を参照して、受信された識別子又は名称の照合を行えばよい。名称が宛先情報ＤＢ３８に登録されているか否かにより、宛先の判定を行ってもよい。
【００８６】
認証情報の宛先が宛先情報ＤＢ３８に登録されていると判定された場合（ステップＳ３でＹ）、発行管理装置３は、端末情報の宛先を判定する（ステップＳ４）。具体的には、第２の認証処理部３３は、ステップＳ２で受信された端末情報から宛先識別子を取得する。また、第２の認証処理部３３は、宛先情報ＤＢ３８（宛先識別子３８１）を参照して、取得した宛先識別子の照合を行う。これにより、宛先識別子が宛先情報ＤＢ３８に登録されているか否か、及び、宛先の判定を行う。
【００８７】
端末情報の宛先が宛先情報ＤＢ３８に登録されていないと判定された場合（ステップＳ４でＮ）、通知部３４は、例えば、通信事業者等の識別子又は名称の入力を求めるメッセージを携帯端末２に送信すればよい。この場合、受付部３１は、通信事業者等の識別子又は名称を携帯端末２から受信し、第２の認証処理部３３は、宛先情報ＤＢ３８（宛先識別子３８１又は宛先名称３８２）を参照して、受信された識別子又は名称の照合を行えばよい。名称が宛先情報ＤＢ３８に登録されているか否かにより、宛先の判定を行ってもよい。
【００８８】
端末情報の宛先が宛先情報ＤＢ３８に登録されていると判定された場合（ステップＳ４でＹ）、発行管理装置３は、認証情報の認証要求を行う（ステップＳ５）。具体的には、第１の認証処理部３２は、会員情報ＤＢ３７を参照して、ステップＳ２で認証されたユーザーの個人情報３７３を取得する。第１の認証処理部３２は、宛先情報ＤＢ３８を参照して、ステップＳ３で宛先として判定した宛先識別子３８１に関連付けられた宛先３８３を取得する。また、第１の認証処理部３２は、ステップＳ２で受信された認証情報１０と取得した個人情報とを、取得した宛先（登録管理装置４）に対して送信する。
【００８９】
それから、登録管理装置４は、認証情報の正当性を判定する（ステップＳ６）。具体的には、認証部４１は、ステップＳ５で受信した認証情報１０の正当性を判定する。認証部４１は、例えば、所有者情報ＤＢ４４（認証情報４４３）を参照して、受信した認証情報１０の照合を行う。これにより、認証情報１０が所有者情報ＤＢ４４に登録されているか否か（正当であるか否か）を判定する。認証情報が正当でないと判定した場合（ステップＳ６でＮ）、認証部４１は、認証結果（失敗）を発行管理装置３に対して送信する。
【００９０】
認証情報が正当であると判定した場合（ステップＳ６でＹ）、登録管理装置４は、個人情報の正当性を判定する（ステップＳ７）。具体的には、認証部４１は、ステップＳ５で受信した個人情報の正当性を判定する。認証部４１は、例えば、ステップＳ６で照合された認証情報を含む所有者情報（個人情報４４５）を参照して、受信した個人情報の照合を行う。これにより、個人情報が所有者情報ＤＢ４４に登録されているか否か（正当であるか否か）を判定する。個人情報が正当でないと判定した場合（ステップＳ７でＮ）、認証部４１は、認証結果（失敗）を発行管理装置３に対して送信する。
【００９１】
ステップＳ６又はステップＳ７で認証結果（失敗）を受信した場合、発行管理装置３は、発行不許可の通知を行う（ステップＳ８）。具体的には、通知部３４は、固有情報の発行を許可できないことを示す通知を、携帯端末２に対して送信する。
【００９２】
個人情報が正当であると判定した場合（ステップＳ７でＹ）、登録管理装置４は、認証結果（成功）及び固有情報の送信を行う（ステップＳ９）。具体的には、固有情報送信部４２は、所有者情報ＤＢ４４を参照して、ステップＳ６で正当と判定された認証情報４４３に関連付けられた固有情報４４２を取得する。また、固有情報送信部４２は、認証結果（成功）とともに、取得した固有情報を、発行管理装置３に対して送信する。
【００９３】
認証結果（成功）及び固有情報を受信した場合、発行管理装置３は、固有情報の一時保存を行う（ステップＳ１０）。具体的には、発行部３５は、受信した固有情報を記憶部３６に一時的に保存する。
【００９４】
それから、認証情報１０の認証結果が成功である場合、発行管理装置３は、端末情報の認証要求を行う（ステップＳ１１）。具体的には、第２の認証処理部３３は、会員情報ＤＢ３７を参照して、ステップＳ２で認証されたユーザーの個人情報３７３を取得する。第２の認証処理部３３は、宛先情報ＤＢ３８を参照して、ステップＳ４で宛先として判定した宛先識別子３８１に関連付けられた宛先３８３を取得する。また、第２の認証処理部３３は、ステップＳ２で受信された端末情報と取得した個人情報とを、取得した宛先（登録管理装置５）に対して送信する。
【００９５】
それから、登録管理装置５は、端末情報の正当性を判定する（ステップＳ１２）。具体的には、認証部５１は、ステップＳ１１で受信した端末情報の正当性を判定する。認証部５１は、例えば、契約者情報ＤＢ５３（端末識別子５３１）を参照して、受信した端末情報に含まれる端末識別子の照合を行う。これにより、端末情報が契約者情報ＤＢ５３に登録されているか否か（正当であるか否か）を判定する。端末情報が正当でないと判定した場合（ステップＳ１２でＮ）、認証部５１は、認証結果（失敗）を発行管理装置３に対して送信する。
【００９６】
端末情報が正当であると判定した場合（ステップＳ１２でＹ）、登録管理装置５は、個人情報の正当性を判定する（ステップＳ１３）。具体的には、認証部５１は、ステップＳ１１で受信した個人情報の正当性を判定する。認証部５１は、例えば、ステップＳ１２で照合された端末情報を含む契約者情報（個人情報５３４）を参照して、受信した個人情報の照合を行う。これにより、個人情報が契約者情報ＤＢ５３に登録されているか否か（正当であるか否か）を判定する。個人情報が正当でないと判定した場合（ステップＳ１３でＮ）、認証部５１は、認証結果（失敗）を発行管理装置３に対して送信する。
【００９７】
ステップＳ１２又はステップＳ１３で認証結果（失敗）を受信した場合、発行管理装置３は、発行不許可の通知を行う（ステップＳ１４）。具体的には、通知部３４は、固有情報の発行を許可できないことを示す通知を、携帯端末２に対して送信する。なお、発行部３５は、ステップＳ１０で記憶部３６に一時的に保存した固有情報を削除する。
【００９８】
個人情報が正当であると判定した場合（ステップＳ１３でＹ）、登録管理装置５は、認証結果（成功）の送信を行う（ステップＳ１５）。具体的には、認証部５１は、認証結果（成功）を発行管理装置３に対して送信する。
【００９９】
認証結果（成功）を受信した場合、発行管理装置３は、固有情報の保存を行う（ステップＳ１６）。具体的には、発行部３５は、ステップＳ１０で記憶部３６に保存された固有情報を、携帯端末２からダウンロード可能に、例えば、発行要求を行った携帯端末２からの会員識別子及び端末識別子と関連付けて、記憶部３６に保存する。
【０１００】
それから、発行管理装置３は、発行許可の通知を行う（ステップＳ１７）。具体的には、通知部３４は、固有情報の発行を許可することを示す通知を、携帯端末２に対して送信する。
【０１０１】
ステップＳ１７で発行許可を受信した場合、携帯端末２は、固有情報のダウンロード及びインストールを行う（ステップＳ１８）。具体的には、固有情報取得部２３は、例えば、ステップＳ１で入力された会員識別子と携帯端末２の端末情報とを含むダウンロード要求を、発行管理装置３に送信する。また、固有情報取得部２３は、ダウンロード要求の応答として、発行管理装置３から固有情報を受信し、例えば、携帯端末２が有する操作対象の制御装置が読み取り可能な記憶装置に記憶する。
【０１０２】
なお、発行管理装置３の発行部３５は、ステップＳ１８で携帯端末２からダウンロード要求を受信すると、記憶部３６を参照して、受信した会員識別子及び端末識別子の照合を行う。照合に成功した場合、発行部３５は、照合した会員識別子及び端末識別子に関連付けられた固有情報を記憶部３６から読み出し、携帯端末２に送信すればよい。このようにして発行部３５は、固有情報を発行する。なお、発行部３５は、携帯端末２に対して発行した固有情報（ステップＳ１６で保存した固有情報）を記憶部３６から削除する。
【０１０３】
以上、本発明の一実施形態について説明した。本実施形態によれば、携帯端末を電子キーとして使用するための設定を容易に行うことができる。
【０１０４】
例えば、本実施形態では、携帯端末２が認証情報を読み取って発行管理装置３に送信し、発行管理装置３が認証処理を行って固有情報を取得し、携帯端末２に対してダウンロード可能に提供する。これにより、携帯端末２は、操作対象から認証情報を読み取れば、早く且つ簡単に固有情報を取得して、携帯端末２を当該操作対象を操作するための電子キーとして設定することができる。
【０１０５】
また、例えば、本実施形態では、発行管理装置３は、操作対象の製造業者等の登録管理装置４及び携帯端末２の通信事業者等の登録管理装置５と連携して、携帯端末２からの認証情報及び携帯端末２の端末情報の認証を行う。これにより、固有情報の不正発行等に対するセキュリティを向上することができる。また、発行管理装置３は、登録管理装置４及び登録管理装置５と連携して、ユーザーの個人情報の認証を行う。これにより、固有情報の不正発行等に対するセキュリティをさらに向上することができる。
【０１０６】
また、例えば、本実施形態では、発行管理装置３は、携帯端末２からの認証情報に対する認証要求の宛先（製造業者等の登録管理装置４）を判定する。これにより、複数種類の操作対象（例えば自動車、建物のドア等）について、認証情報の認証及び固有情報の発行を制御することができる。この場合、携帯端末２は、早く且つ簡単に、複数の操作対象を操作するための電子キーとして設定することができる。
【０１０７】
また、例えば、本実施形態では、発行管理装置３は、携帯端末２からの端末情報に対する認証要求の宛先（通信事業者等の登録管理装置５）を判定する。これにより、複数の通信事業者について、端末情報の認証を制御することができる。
【０１０８】
本発明は、上述の実施形態に限定されず、本発明の要旨の範囲内で種々の変形実施が可能である。
【０１０９】
例えば、上述の実施形態では、ＮＦＣ等の近距離無線通信により記憶媒体１から認証情報１０を読み取るが、制御装置が認証情報１０を記憶しておき、制御装置と携帯端末２がＢｌｕｅｔｏｏｔｈ（登録商標）やＷｉ−ｆｉ（登録商標）等により通信を行って、携帯端末２が認証情報１０を受信するようにしてもよい。
【０１１０】
また、例えば、上述実施形態では、発行管理装置３は携帯端末２に対して固有情報を送信するが、固有情報の格納場所（ＵＲＬ等）を携帯端末２に対して送信するようにしてもよい。この場合、固有情報取得部２３は、受信した固有情報の格納場所にアクセスして、固有情報を取得する。
【０１１１】
また、例えば、上述の実施形態では、操作対象の制御装置は、携帯端末２から読み取った固有情報を読み取って照合を行っているが、この方法に限られない。例えば、携帯端末２は、固有情報に基づいて所定の演算を行い、その演算結果（第１の演算結果）を制御装置に送信するようにする。また、制御装置は、予め記憶している固有情報に基づいて所定の演算を行い、その演算結果（第２の演算結果）と第１の演算結果とを照合するようにする。
【０１１２】
また、例えば、上述の実施形態では、認証情報の認証処理の後に端末情報の認証処理を実行しているが、端末情報の認証処理の後に認証情報の認証処理を行うようにしてもよい。いずれにせよ、発行管理装置３は、認証情報及び端末情報の認証結果が成功である場合に、携帯端末２に対して発行許可を通知する。
【０１１３】
また、例えば、上述の実施形態では、発行管理装置３、１台以上の登録管理装置４、及び１台以上の登録管理装置５は、それぞれ別の装置で実現されるが、この形態に限られない。例えば、発行管理装置３と、１台以上の登録管理装置４及び１台以上の登録管理装置５のうち少なくとも１台以上とは、同じ装置で実現されてもよい。また、例えば、上述の実施形態では、１台以上の登録管理装置４、及び１台以上の登録管理装置５は、それぞれの業者により運用されるが、この形態に限られない。例えば、１台以上の登録管理装置４及び１台以上の登録管理装置５のうち少なくとも１台以上は、発行管理装置３を運用する情報サービス業者等により、データセンター等において運用されてもよい。
【０１１４】
また、上述の実施形態において、例えば、操作対象（ユーザーの自動車など）について、ユーザーの携帯端末２だけでなく、当該ユーザーの家族の携帯端末２を電子キーとして設定したい場合がある。この場合は、当該家族の個人情報を、当該ユーザーの会員情報に関連付けて登録しておく。また、当該家族の個人情報を、当該ユーザーの所有者情報に関連付けて登録しておく。また、当該家族の契約者情報は、当該ユーザーの契約者情報とは別に登録しておく。
【０１１５】
固有情報発行処理においては、家族の携帯端末２が認証情報を読み取り、固有情報の発行申込みを行う。ステップＳ２において、受付部３１は、ユーザー認証後、いずれの個人（ユーザー本人、又は他の家族）についての発行申込みであるかの選択を、携帯端末２から受け付ける。ステップＳ５において、第１の認証処理部３２は、ステップＳ２で選択された個人の個人情報を、登録管理装置４に送信する。ステップＳ１１において、第２の認証処理部３３は、ステップＳ２で選択された個人の個人情報を、登録管理装置５に送信する。
【０１１６】
このようにすれば、同じ操作対象（例えば自動車）について、複数の携帯端末２を電子キーとして設定することができる。
【０１１７】
もちろん、本発明は、上述した実施形態及び変形例に限定されるわけではない。実施形態および各変形例を適宜組み合わせることもできる。
【０１１８】
なお、図２に示す各装置の機能構成は、その構成を理解容易にするために、主な処理内容に応じて分類したものである。構成要素の分類の仕方や名称によって、本発明が制限されることはない。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【０１１９】
また、図３〜６に示す各情報のデータ構造は、一例であり、本発明の目的を達成することができるのであれば、図示した例に限定されない。
【０１２０】
また、図９、及び図１０に示すフローチャートにおける処理単位は、各装置の処理を理解容易にするために、主な処理内容に応じて分割したものである。処理単位の分割の仕方や名称によって、本発明が制限されることはない。各装置の処理は、処理内容に応じて、さらに多くの処理単位に分割することもできる。また、１つの処理単位がさらに多くの処理を含むように分割することもできる。また、フローチャートにおける処理順序も、本発明の目的を達成することができるのであれば、図示した例に限定されない。
【０１２１】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１２２】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１２３】
１：記憶媒体、２：携帯端末、３：発行管理装置、４：登録管理装置、５：登録管理装置、１０：認証情報、２０：制御部、２１：認証情報取得部、２２：申込部、２３：固有情報取得部、２４：記憶部、２５：通信部、２６：読取部、２７：表示部、２８：操作部、３０：制御部、３１：受付部、３２：第１の認証処理部、３３：第２の認証処理部、３４：通知部、３５：発行部、３６：記憶部、３７：会員情報ＤＢ、３８：宛先情報ＤＢ、３９：通信部、４０：制御部、４１：認証部、４２：固有情報送信部、４３：記憶部、４４：所有者情報ＤＢ、４５：通信部、５０：制御部、５１：認証部、５２：記憶部、５３：契約者情報ＤＢ、５４：通信部、８０：コンピューター、８１：演算装置、８２：主記憶装置、８３：補助記憶装置、８４：通信Ｉ／Ｆ、８５：入力装置、８６：表示装置、８７：リーダ／ライタ、８８：外部Ｉ／Ｆ、９０：コンピューター、９１：演算装置、９２：主記憶装置、９３：補助記憶装置、９５：入力装置、９６：表示装置、９７：リーダ／ライタ、９８：ＩＣチップ、３７１：会員識別子、３７２：パスワード、３７３：個人情報、３８１：宛先識別子、３８２：宛先名称、３８３：宛先、４４１：操作対象識別子、４４２：固有情報、４４３：認証情報、４４４：所有者識別子、４４５：個人情報、５３１：端末識別子、５３２：電話番号、５３３：契約者識別子、５３４：個人情報、９４１：通信Ｉ／Ｆ、９４２：通信Ｉ／Ｆ
【図１】
2016204912.tif 000003
【図２】
2016204912.tif 000004
【図３】
2016204912.tif 000005
【図４】
2016204912.tif 000006
【図５】
2016204912.tif 000007
【図６】
2016204912.tif 000008
【図７】
2016204912.tif 000009
【図８】
2016204912.tif 000010
【図９】
2016204912.tif 000011
【図１０】
2016204912.tif 000012